【手続補正書】
【提出日】平成22年12月9日(2010.12.9)
【手続補正１】
【補正対象書類名】特許請求の範囲
【補正対象項目名】全文
【補正方法】変更
【補正の内容】
【特許請求の範囲】
【請求項１】
マルチビュー・ビデオ・コンテンツの少なくとも１つのビューについて少なくとも１つのピクチャ内の少なくとも１つのブロックを符号化するエンコーダであって、当該エンコーダは、照度補償および色補償の少なくとも１つが前記少なくとも１つのブロックについて使用されるという指示に応じて、前記少なくとも１つのブロックに適応的デブロッキング・フィルタリングを行なうデブロッキング・フィルタを有する、前記エンコーダ、を備える装置。
【請求項２】
前記デブロッキング・フィルタのフィルタ強度は、前記照度補償および前記色補償の少なくとも１つが前記少なくとも１つのブロックについて使用されるという前記指示に応じて適応化される請求項１に記載の装置。
【請求項３】
前記フィルタ強度は、２つの近傍ブロックの少なくとも１つが前記照度補償および前記色補償の少なくとも１つを使用するときに変更され、当該２つの近傍ブロックが、前記少なくとも１つのピクチャの特定のピクチャ内、または前記少なくとも１つのピクチャのそれぞれの隣接するピクチャ内にある請求項２に記載の装置。
【請求項４】
前記フィルタ強度は、当該フィルタ強度が国際標準化機構／国際電気標準会議動画専門家グループ４パート１０高度ビデオ・コーディング標準／国際電気通信連合・電気通信標準化部門Ｈ．２６４勧告に対応する方法によって決定された後に、１だけ増分される請求項２に記載の装置。
【請求項５】
前記エンコーダは、２つの近傍ブロックが、異なるマルチビュー・ビデオ・コーディング予測タイプを有するときに、アルファ・テーブル・インデックス値を修正することによって前記少なくとも１つのピクチャを符号化し、当該２つの近傍ブロックが、前記少なくとも１つのピクチャの特定のピクチャ内、または、前記少なくとも１つのピクチャのそれぞれの隣接するピクチャ内にある請求項２に記載の装置。
【請求項６】
マルチビュー・ビデオ・コンテンツの少なくとも１つのビューについて少なくとも１つのピクチャ内の少なくとも１つのブロックを符号化するステップであって、照度補償および色補償の少なくとも１つが前記少なくとも１つのブロックについて使用されるという指示に応じて前記少なくとも１つのブロックに適応的デブロッキング・フィルタリングを行なう、前記ステップ、を含む方法。
【請求項７】
前記適応的デブロッキング・フィルタリングを行なうために使用されるデブロッキング・フィルタのフィルタ強度は、前記照度補償および前記色補償の少なくとも１つが前記少なくとも１つのブロックについて使用されるという指示に応じて適応化される、請求項６に記載の方法。
【請求項８】
前記フィルタ強度は、２つの近傍ブロックの少なくとも１つが前記照度補償および前記色補償の少なくとも１つを使用するときに変更され、当該２つの近傍ブロックが、前記少なくとも１つのピクチャの特定のピクチャ内、または前記少なくとも１つのピクチャのそれぞれの隣接するピクチャ内にある、請求項７に記載の方法。
【請求項９】
前記フィルタ強度は、当該フィルタ強度が国際標準化機構／国際電気標準会議動画専門家グループ４パート１０高度ビデオ・コーディング標準／国際電気通信連合・電気通信標準化部門Ｈ．２６４勧告に対応する方法によって決定された後に、１だけ増分される、請求項７に記載の方法。
【請求項１０】
前記符号化するステップは、２つの近傍ブロックが、異なるマルチビュー・ビデオ・コーディング予測タイプを有するときに、アルファ・テーブル・インデックス値を修正することによって前記少なくとも１つのピクチャを符号化し、当該２つの近傍ブロックが、前記少なくとも１つのピクチャの特定のピクチャ内、または、前記少なくとも１つのピクチャのそれぞれの隣接するピクチャ内にある、請求項７に記載の方法。
【請求項１１】
マルチビュー・ビデオ・コンテンツの少なくとも１つのビューについて少なくとも１つのピクチャ内の少なくとも１つのブロックを復号処理するデコーダであって、当該デコーダは、照度補償および色補償の少なくとも１つが前記少なくとも１つのブロックについて使用されるという指示に応じて前記少なくとも１つのブロックに関して適応的デブロッキング・フィルタリングを行なうデブロッキング・フィルタを有する、前記デコーダ、を備える装置。
【請求項１２】
前記適応的デブロッキング・フィルタリングを行なうために使用されるデブロッキング・フィルタのフィルタ強度は、前記照度補償および前記色補償の少なくとも１つが前記少なくとも１つのブロックについて使用されるという前記指示に応じて適応化される請求項１１に記載の装置。
【請求項１３】
前記フィルタ強度は、２つの近傍ブロックの少なくとも１つが前記照度補償および前記色補償の少なくとも１つを使用するときに変更され、当該２つの近傍ブロックが、前記少なくとも１つのピクチャの特定のピクチャ内、または前記少なくとも１つのピクチャのそれぞれの隣接するピクチャ内にある請求項１２に記載の装置。
【請求項１４】
前記フィルタ強度は、当該フィルタ強度が国際標準化機構／国際電気標準会議動画専門家グループ４パート１０高度ビデオ・コーディング標準／国際電気通信連合・電気通信標準化部門Ｈ．２６４勧告に対応する方法によって決定された後に、１だけ増分される請求項１２に記載の装置。
【請求項１５】
前記デコーダは、２つの近傍ブロックが、異なるマルチビュー・ビデオ・コーディング予測タイプを有するときに、アルファ・テーブル・インデックス値を修正することによって前記少なくとも１つのピクチャを復号処理し、当該２つの近傍ブロックが、前記少なくとも１つのピクチャの特定のピクチャ内、または、前記少なくとも１つのピクチャのそれぞれの隣接するピクチャ内にある請求項１２に記載の装置。
【請求項１６】
マルチビュー・ビデオ・コンテンツの少なくとも１つのビューについて少なくとも１つのピクチャ内の少なくとも１つのブロックを復号処理するステップであって、照度補償および色補償の少なくとも１つが前記少なくとも１つのブロックについて使用されるという指示に応じて前記少なくとも１つのブロックに関して適応的デブロッキング・フィルタリングを行なう、前記ステップ、を含む方法。
【請求項１７】
前記適応的デブロッキング・フィルタリングを行なうために使用されるデブロッキング・フィルタのフィルタ強度は、前記照度補償および前記色補償の少なくとも１つが前記少なくとも１つのブロックについて使用されるという前記指示に応じて適応化される、請求項１６に記載の方法。
【請求項１８】
前記フィルタ強度は、２つの近傍ブロックの少なくとも１つが前記照度補償および前記色補償の少なくとも１つを使用するときに変更され、当該２つの近傍ブロックが、前記少なくとも１つのピクチャの特定のピクチャ内、または前記少なくとも１つのピクチャのそれぞれの隣接するピクチャ内にある、請求項１７に記載の方法。
【請求項１９】
前記フィルタ強度は、当該フィルタ強度が国際標準化機構／国際電気標準会議動画専門家グループ４パート１０高度ビデオ・コーディング標準／国際電気通信連合・電気通信標準化部門Ｈ．２６４勧告に対応する方法によって決定された後に、１だけ増分される、請求項１７に記載の方法。
【請求項２０】
前記復号処理するステップは、２つの近傍ブロックが、異なるマルチビュー・ビデオ・コーディング予測タイプを有するときに、アルファ・テーブル・インデックス値を修正することによって前記少なくとも１つのピクチャを復号処理し、当該２つの近傍ブロックが、前記少なくとも１つのピクチャの特定のピクチャ内、または、前記少なくとも１つのピクチャのそれぞれの隣接するピクチャ内にある、請求項１７に記載の方法。